(57)【要約】      （修正有）【課題】ある種のスイッチ故障に耐えることができる電力変換システムを提供する。【解決手段】電力変換装置１２は、入力電力を出力電力へと変換するために互いに電気的に接続された複数のスイッチを含む。スイッチの各々は、１つまたは複数のスイッチの故障時に隣接するスイッチを保護するために十分に分離される。電力変換装置１２は、スイッチ故障時に少なくとも部分動作モードを実現するためにスイッチの動作を再設定するための制御装置３０をやはり含む。【選択図】図１
2013143910.tif 000002
【特許請求の範囲】
【請求項１】
入力電力を出力電力へと変換するために互いに電気的に接続された複数のスイッチであって、前記複数のスイッチの各々が、前記複数のスイッチのうちの１つまたは複数の故障時に隣接するスイッチを保護するために十分に分離される、複数のスイッチと、
前記１つまたは複数のスイッチの故障時に少なくとも部分動作モードを実現するために前記複数のスイッチの動作を再設定するための制御装置と
を備えた、電力変換装置。
【請求項２】
前記複数のスイッチが、２ステージ電力変換装置を形成するように電気的に接続される、請求項１記載の電力変換装置。
【請求項３】
前記２つのステージが、ＡＣ−ＤＣ変換ステージまたはＤＣ−ＤＣ変換ステージを含む第１のステージおよびＤＣ−ＡＣ変換ステージを含む第２のステージを備える、請求項２記載の電力変換装置。
【請求項４】
前記電力変換装置の各ステージが３つのレグを備える、請求項２記載の電力変換装置。
【請求項５】
前記複数のスイッチが絶縁ゲートバイポーラトランジスタを備える、請求項１記載の電力変換装置。
【請求項６】
前記複数のスイッチが、ブラストシールド内に前記複数のスイッチの各々を封入することによって十分に分離される、請求項１記載の電力変換装置。
【請求項７】
前記ブラストシールドが、ファイバ材料、複合材料、またはこれらの組み合わせから成る、請求項６記載の電力変換装置。
【請求項８】
並列に接続された少なくとも２つのレグを備えたＤＣ−ＤＣ変換装置であって、各レグが、ＤＣ電源への中間点のところに接続可能であり、前記スイッチのうちの１つまたは複数の故障時に隣接するスイッチを保護するために十分に分離された少なくとも２つのスイッチを備える、ＤＣ−ＤＣ変換装置と、
合成ＤＣ出力電力を供給するために前記少なくとも２つのレグの前記スイッチの動作時間を制御し、前記少なくとも２つのレグのうちの一方の中のスイッチの少なくとも１つの故障時に、低下した合成ＤＣ出力電力を供給するために前記少なくとも２つのレグのうちの残りのものの少なくとも前記スイッチの前記動作時間を調節するための制御装置と
を備えた、電力変換システム。
【請求項９】
前記電力変換装置の各レグが、正確に２つのスイッチを含み、少なくとも１つのレグ内の前記スイッチのうちの少なくとも１つの故障時に、前記制御装置が、前記低下した合成ＤＣ電力を供給するために前記残りのレグの前記動作時間を調節するように構成される、請求項８記載のシステム。
【請求項１０】
前記ＤＣ−ＤＣ電力変換装置の各レグが、前記中間点の一方の側において並列に接続されたスイッチの第１のセットおよび前記中間点の他方の側において並列に接続されたスイッチの第２のセットを備える、請求項８記載のシステム。
【請求項１１】
前記制御装置が、低下したレベルのＤＣ出力電力リプルを与えるために前記残りのスイッチの各々を動作させるためにさらに構成される、請求項８記載のシステム。
【請求項１２】
前記ＤＣ−ＤＣ電力変換装置が太陽光電源に接続される、請求項８記載のシステム。
【請求項１３】
前記少なくとも２つのスイッチの各々が、ブラストシールド内に前記スイッチの各々を封入することによって十分に分離される、請求項８記載のシステム。
【請求項１４】
並列に接続された少なくとも２つの位相レグを備えたＤＣ−ＡＣ変換装置であって、各レグが、直列に接続されたスイッチの少なくとも２組のセットを備え、前記少なくとも２組のセットの各々が、互いに並列に電気的に接続され、前記スイッチのうちの１つまたは複数の故障時に隣接するスイッチを保護するために十分に分離された複数のスイッチを備える、ＤＣ−ＡＣ変換装置と、
前記スイッチの２組のセットのうちの少なくとも一方の中の前記スイッチの少なくとも１つの故障時に各位相レグから発生されるＡＣ出力電力を調節することによって合成ＡＣ出力電力を制御するための制御装置と
を備えた、電力変換システム。
【請求項１５】
前記制御装置が、低下したＡＣ出力電力を供給するために前記故障したスイッチのうちの少なくとも１つを含む前記レグを動作させるように構成される、請求項１４記載のシステム。
【請求項１６】
前記制御装置が、低下した合成ＡＣ出力を供給するために、バランスの取れたＡＣ出力電力を供給するために各レグの前記少なくとも一方のセットの残りのスイッチを動作させるようにさらに構成される、請求項１４記載のシステム。
【請求項１７】
前記制御装置が、前記２組のセットの中で少なくとも一方のセットの前記複数のスイッチの各々が故障したときに、前記ＤＣ−ＡＣ電力変換装置の前記動作を停止するように構成される、請求項１４記載のシステム。
【請求項１８】
前記ＤＣ−ＡＣ電力変換装置が、再生可能電力発生源に接続される、請求項１４記載のシステム。
【請求項１９】
前記スイッチの各々を分離するためのブラストシールドをさらに備えた、請求項１４記載のシステム。
【発明の詳細な説明】
【技術分野】
【０００１】
本発明は、全体として電力変換システムに関係し、より詳しくは、ある種のスイッチ故障に耐えることができる電力変換システムに関係する。
【背景技術】
【０００２】
従来のエネルギー源のコスト上昇および不足ならびに環境に関する懸念とともに、太陽光電力および風力電力などの代替エネルギー源についての大きな関心がある。エネルギーの様々な代替源に対して異なる電力変換システムを利用することによって、代替エネルギー源を発電するために使用する。電力変換システムは、少なくとも１つの電源から送電網への伝送のために利用可能な電力へと発生した電力を変換するために少なくとも１つの電力変換装置を一般に含む。
【０００３】
電力変換システムは、利用可能な電力を供給するために電力変換の１つまたは複数のステージを含む。各ステージは、電源からの入力電力を変換する複数のスイッチを含む。スイッチは、電流過負荷などの様々な条件に由来する損傷を受けやすい。従来型の電力変換装置内のスイッチのうちのいずれか１つの故障は、故障したスイッチが交換されるまで、全体の電力変換装置の動作の一時的な停止をもたらす。電力変換装置の一時的な停止は、発電損失および動作時間の減少という結果になる。さらにその上、１つの構成部品の故障に起因して動作不可能であるとはいえ、変換装置が依然として大部分において機能する場合に、故障はまた、電力変換装置の動作率に悪影響を及ぼす。
【０００４】
スイッチの故障は、また暴発をもたらすことがあり、暴発したスイッチから望ましくない破片の放出物を作り出す。
【先行技術文献】
【特許文献】
【０００５】
【特許文献１】米国特許出願公開第２０１１／００８５３６３号明細書
【発明の概要】
【０００６】
これゆえ、上記の課題を扱う改善したシステムに対する要求がある。
【０００７】
一実施形態において、電力変換装置を提供する。電力変換装置は、互いに電気的に接続され、入力電力を出力電力へと変換するように構成されたスイッチを含み、スイッチの各々は、スイッチのうちの１つまたは複数の故障時に隣接するスイッチを保護するために十分に分離される。電力変換装置は、１つまたは複数のスイッチの故障時に少なくとも部分動作モードを実現するためにスイッチの動作を再設定するための制御装置をやはり含む。
【０００８】
別の一実施形態において、電力変換システムを提供する。電力変換システムは、並列に接続された少なくとも２つのレグを備えたＤＣ−ＤＣ変換装置を含み、各レグは、ＤＣ電源への中間点のところに接続可能であり、スイッチのうちの１つまたは複数の故障時に隣接するスイッチを保護するために十分に分離された少なくとも２つのスイッチを備える。電力変換システムは、合成ＤＣ出力電力を供給するために少なくとも２つのレグのスイッチの動作時間を制御し、少なくとも２つのレグのうちの一方の中のスイッチの少なくとも１つの故障時に、低下した合成ＤＣ出力電力を供給するために少なくとも２つのレグのうちの残りのものの少なくともスイッチの動作時間を調節するための制御装置をやはり含む。
【０００９】
さらに別の一実施形態において、ＤＣ−ＡＣ電力変換装置を備えた電力変換システムを提供する。ＤＣ−ＡＣ電力変換装置は、並列に接続された少なくとも２つの位相レグを含み、各レグは、直列に接続されたスイッチの少なくとも２組のセットを備え、少なくとも２組のセットの各々は、互いに並列に電気的に接続され、スイッチのうちの１つまたは複数の故障時に隣接するスイッチを保護するために十分に分離された複数のスイッチを備える。電力変換システムは、スイッチの２組のセットのうちの少なくとも一方の中のスイッチの少なくとも１つの故障時に各位相レグから発生されるＡＣ出力電力を調節することによって合成ＡＣ出力電力を制御するための制御装置をやはり含む。
【００１０】
本発明のこれらのおよびその他の特徴、態様および長所は、添付した図面を参照して下記の詳細な説明を読むと、より良く理解されるようになるであろう。図面では、類似の参照符号は、図面全体を通して類似の要素を表す。
【図面の簡単な説明】
【００１１】
【図１】本発明の一実施形態による、複数の十分に分離されたスイッチを含む電力変換装置の模式的な図である。
【図２】本発明の一実施形態による、電力変換装置内に設けられたブラストシールド（ｂｌａｓｔ  ｓｈｉｅｌｄ）によって十分に分離されたスイッチのより詳細な模式的な図である。
【図３】本発明の一実施形態による、適応型ＤＣ−ＤＣ電力変換装置の各レグ内でブラストシールドによって十分に分離された正確に２つのスイッチを備えた適応型ＤＣ−ＤＣ変換装置を含む電力変換システムの模式的な図である。
【図４】適応型ＤＣ−ＤＣ電力変換装置および適応型ＤＣ−ＡＣ電力変換装置を含む電力変換システムの模式的な図である。
【発明を実施するための形態】
【００１２】
特別に規定しない限り、本明細書中で使用する技術用語および科学用語は、本開示が属する当業者により一般的に理解されるものと同じ意味を有する。本明細書中で使用するように、「第１の」、「第２の」等という用語は、いずれかの順番、量、または重要性を示すのではなく、むしろ１つの要素を別の１つの要素と区別するために使用される。また、「１つ（ａ）」および「１つ（ａｎ）」という用語は、量を限定することを示すのではなく、むしろ少なくとも１つの参照した項目の存在を示す。「または」という用語は、包括的であるように意味し、列挙した項目の１つ、いくつか、またはすべてを意味する。「含むこと（ｉｎｃｌｕｄｉｎｇ）」、「備えること（ｃｏｍｐｒｉｓｉｎｇ）」または「有すること（ｈａｖｉｎｇ）」およびこれらの変形を本明細書で使用することは、この後に列挙する項目およびこれらの等価物ならびに追加の項目を包含することを意味する。「接合された（ｃｏｎｎｅｃｔｅｄ）」および「接続された（ｃｏｕｐｌｅｄ）」という用語は、物理的または機械的な接合または接続に限定するのではなく、直接的であるか間接的であるかを問わず、電気的な接合または接続を含むことができる。さらにその上、「回路（ｃｉｒｃｕｉｔ）」および「回路構成（ｃｉｒｃｕｉｔｒｙ）」ならびに「制御装置（ｃｏｎｔｒｏｌｌｅｒ）」という用語は、単一の構成要素または複数の構成要素のいずれかを含むことができ、これらの構成要素は、能動的および／または受動的のどちらかであり、説明した機能を与えるために一緒に接合されるまたはそうでなければ接続される。
【００１３】
本発明の実施形態は、互いに電気的に接続され、入力電力を出力電力へと変換するように構成されたスイッチを含む適応型電力変換装置を含む。スイッチの各々は、１つまたは複数のスイッチの故障時に隣接するスイッチを保護するために十分に分離される。電力変換装置は、１つまたは複数のスイッチの故障時に少なくとも部分動作モードを実現するためにスイッチの動作を再設定するための制御装置をやはり含む。
【００１４】
図１は、本発明の一実施形態による、複数の十分に分離されたスイッチ１４を含む電力変換装置１２を備えた電力変換システム１０の模式的な表示である。スイッチ１４は、互いに電気的に接続され、入力電力を出力電力へと変換する。スイッチ１４の各々は、スイッチのうちの１つまたは複数の故障時に隣接するスイッチを保護するために十分に分離される。一実施形態では、複数のスイッチの各々は、ブラストシールドによって十分に分離される。別の実施形態では、スイッチを、例えば、仕切りによってまたは十分な物理的距離によって切り離すことができる。例の目的で、本発明をブラストシールドに関して下記に非常に詳しく論じる。
【００１５】
図２は、ブラストシールド封入スイッチ１４の模式的な表示である。ブラストシールド封入スイッチ１４は、ヒートシンク２０上に搭載されたパワースイッチ１８を含む。パワースイッチ１８は、例えば、半導体スイッチを含むことができる。１つのより具体的な実施形態では、スイッチ１８は、絶縁ゲートバイポーラトランジスタを含む。スイッチ１８は、封入したスイッチの故障時に生じる何らかの暴発を制限することによって、隣接するスイッチを損傷から保護するブラストシールド１６内にさらに封入される。一実施形態では、ブラストシールドは、ファイバ材料、複合材料、またはこれらの組み合わせからなる。より具体的な実施形態では、ブラストシールド１６は、ケブラー（Ｋｅｖｌａｒ（登録商標））ファイバなどのパラアラミド合成ファイバ織物、グラスファイバ材料、他の高強度複合材料、またはこれらの組み合わせからなる。
【００１６】
図１に戻って参照すると、スイッチ１４は、入力電力を出力電力へと変換する。非限定的な一例では、入力電力は、ＤＣ電力またはＡＣ電力を含むことができ、出力電力は、ＡＣ電力を含む。一実施形態では、スイッチ１４は、ＡＣ−ＤＣ変換ステージまたはＤＣ−ＤＣ変換ステージのうちの１つを含む第１のステージ２２およびＤＣ−ＡＣ変換ステージを含む第２のステージ２４を含む２つのステージで入力電力を出力電力へと変換するような方式で電気的に接続される。具体的な一実施形態では、第１のステージ２２は、風力タービン用途におけるＡＣ−ＤＣ電力変換ステージを含み、第１のステージは、太陽光発電用途におけるＤＣ−ＤＣ変換ステージを含む。例示的な一実施形態では、各ステージは３つのレグを含む。
【００１７】
電力変換装置１２における電力変換の第１のステージ２２は、電源２６に電気的に接続される。一実施形態では、電源２６は、太陽光発電源、風力発電源、蓄電池、または燃料電池を含むことができる。第１のステージ２２は、電源２６から入力電力を受電し、入力電力を合成ＤＣ電力へと変換する。電力変換装置１２における電力変換の第２のステージ２４は、合成ＤＣ電力を受電し、合成ＤＣ電力を送電網２８へと給電する出力電力へと変換する。
【００１８】
電力変換装置１２は、入力電力を出力電力へと変換するスイッチ１４の動作を制御する制御装置３０を含む。動作中に、スイッチ１４のうちの１つまたは複数が損傷を受けることがある。ブラストシールド１６（図２に示す）は、隣接するスイッチを損傷から保護し、損傷した１つまたは複数のスイッチの暴発を制限する。制御装置３０は、損傷を受けていないスイッチの動作を再設定して、故障したスイッチを交換するまで少なくとも部分動作モードで電力変換装置１２を動作させる。一実施形態では、電力変換装置は、少なくとも１メガワットで動作するインバータを含む。
【００１９】
図３は、本発明の一実施形態により、各スイッチが適応型ＤＣ−ＤＣ電力変換装置３２の各レグ内でブラストシールドによって十分に分離された２つのスイッチを備えた適応型ＤＣ−ＤＣ変換装置３２を含む電力変換システム１０の模式的な表示である。本発明を良く理解するために、上に説明した電力変換装置１２の動作を、電力変換装置１２の第１のステージ２２においてＤＣ−ＤＣ変換装置３２および第２のステージ２４においてＤＣ−ＡＣ変換装置３４を備えた太陽光電力変換システム１０に関して論じる。太陽光電力変換システム１０は、電力変換装置１２内のＤＣ−ＤＣ変換装置３２へと給電される入力ＤＣ電力を発電する太陽光電源２６を含む。具体的な例におけるＤＣ−ＤＣ変換装置３２は、並列に接続された少なくとも２つのレグ（例の目的で３つのレグ３６、３８および４０として示す）を備える。各レグは、太陽光電源２６への中間点のところで接続可能な少なくとも２つのブラストシールドされ封入されたスイッチ１４を含む。一実施形態では、各レグは、正確に２つのブラストシールド封入スイッチ１４を含む。別の一実施形態では、２つ以上のスイッチを、レグ毎に使用することができる。ＤＣ−ＤＣ変換装置３２は、制御装置３０に接続され、制御装置３０は、合成ＤＣ出力電力を供給するために少なくとも３つのレグ３６、３８および４０の各々から発生されるＤＣ出力電力をインターリーブすることによってスイッチ１４の動作を制御する。
【００２０】
動作中に、スイッチ４２のうちの少なくとも１つの故障で、制御装置３０は、低下した合成ＤＣ出力電力を供給するように、残りのスイッチのスイッチング時間を調節する。各レグが正確に２つのスイッチ１４を含み、少なくとも１つのレグ３８の中のスイッチ４２のうちの少なくとも１つが故障している具体的な実施形態では、レグ３８全体が使用不可能にされ、制御装置３０は、低下した合成ＤＣ出力電力を供給するように、残りのレグ３６および４０のゲート開閉を調節する。この実施形態では、１つのレグ３８が故障しているが、残りのレグ３６および４０は、依然として全能力で動作することができ、残りのレグ３６および４０によって発生される低下した合成ＤＣ電力を供給する。この実施形態では、制御装置３０は、残りのレグ３６および４０の各々からバランスの取れたレベルのＤＣ出力電力を供給するように各残りのスイッチを動作させる。さらにその上、レグが完全に故障し、動作から除かれなければならない場合には、低下したまたは最小のＤＣリプルを与えるために、制御装置は、残りのスイッチの動作時間を再分配し、その結果、残りのスイッチは、故障したレグの考慮していない時間スロットをそのままにして残さずに等間隔の時間で動作する。すべてのレグまたは余りにも多くのレグがスイッチ故障を有し、その結果、バランスの取れたレベルのＤＣ出力電力を供給することが不可能であるケースでは、制御装置３０は、ＤＣ−ＤＣ変換装置３２の動作を停止させる必要がある場合がある。
【００２１】
ＤＣ−ＤＣ変換装置３２からの合成ＤＣ出力電力は、次に、合成ＤＣ出力電力を出力電力へと変換するためにＤＣ−ＡＣ変換装置３４へ伝送される。
【００２２】
図４は、本発明の別の一実施形態による、冗長スイッチが含まれている適応型ＤＣ−ＤＣ電力変換装置３２および適応型ＤＣ−ＡＣ電力変換装置３４を含む太陽光電力変換システム１０の模式的な表示である。図４の実施形態では、ＤＣ−ＤＣ変換装置３２およびＤＣ−ＡＣ変換装置３４は、それぞれの電力変換装置３２および３４の各レグ内に並列に電気的に接続されたスイッチの２組のセット４４および４６を各々が備える。
【００２３】
ＤＣ−ＤＣ変換装置３２は、ＤＣ−ＤＣ変換装置３２の各レグ内で並列に電気的に接続されたブラストシールド封入スイッチ１４の２組のセット４４および４６を含み、入力ＤＣ電力を合成ＤＣ出力電力へと変換する。制御装置３０は、複数のブラストシールド封入スイッチ１４の動作を制御して、入力電力を合成ＤＣ電力へと変換する。制御装置３０は、ＤＣ−ＤＣ変換装置３２の１つまたは複数のレグ内のセット４４および４６のうちの少なくとも一方の中のスイッチ４８の少なくとも１つの故障時に、合成ＤＣ電力を調節するために、スイッチ１４のスイッチング動作を再設定する。図４のスイッチ４８などの１つのスイッチだけが所与のセット４４の中で故障するときには、この実施形態ではレグ全体を停止させる必要がない。その代わりに、スイッチの欠損を考慮して、ゲートの開閉を調節することができ、ＤＣ−ＤＣ変換装置３２を制御する際に使用する予想される電流の値をやはり調節する。この実施形態では、スイッチ４８などのスイッチのうちの１つが故障すると、レグ３６（図３）は低下した能力で動作し、残りのレグ３８（図３）および４０（図３）は、全能力で適宜動作することができ、低下した合成ＤＣ電力を供給する。ＤＣ−ＤＣ変換装置３２の１つのレグ内のセット４４または４６全体が故障する場合には、そのレグは使用できず、図３に関連して論じた調節を使用することができる。すべてのレグのセットまたは余りにも多くのレグのセットがスイッチ故障を有し、その結果、バランスの取れたレベルのＤＣ出力電力を供給することが不可能であるケースでは、制御装置３０は、ＤＣ−ＤＣ変換装置３２の動作を停止させる必要がある場合がある。
【００２４】
ＤＣ−ＡＣ変換装置３４は、ＤＣ−ＤＣ変換装置３２から合成ＤＣ電力を受電し、合成ＤＣ電力をＡＣ電力へと変換する。ＤＣ−ＡＣ変換装置３４は、並列に接続された少なくとも２つのレグを含む。各レグは、直列に接続されたブラストシールド封入スイッチの少なくとも２組のセット５０および５２を含む。少なくとも２組のセット５０および５２の各々は、互いに並列に電気的に接続された複数のブラストシールド封入スイッチ１４を含む。制御装置３０は、合成ＡＣ出力電力を供給するようにスイッチ１４を制御する。動作では、２組のセットのうちの少なくとも一方５２の中のスイッチ５４のうちの少なくとも１つの故障時に、制御装置３０は、低下した合成ＡＣ電力を供給するように各位相レグから発生されるＡＣ出力電力を調節する。一実施形態では、影響を受けたレグが作ることができる電圧の大きさが低下するので、出力電圧のバランスを取るために、制御装置３０は、また、低下した電力で残りのレグを動作させることができ、よりバランスの取れたＡＣ出力電力を供給する。具体的な実施形態では、２組のセット５０および５２の中で少なくとも１組のセットの各スイッチの故障時に、制御装置３０は、ＤＣ−ＡＣ変換装置３４の動作を停止させる。すべてのレグのセットまたは余りにも多くのレグのセットが部分的なスイッチ故障を有し、その結果、バランスの取れたレベルのＡＣ出力電力を供給できないケースでは、制御装置３０は、ＤＣ−ＡＣ変換装置３４の動作を停止させる必要がある場合がある。
【００２５】
上に説明した太陽光発電システムの様々な実施形態は、より効率的で信頼性のある太陽光発電システムを提供する。上に説明したシステムは、電力変換装置にとってより長い動作時間を可能にし、電力変換装置内の被害を減少させ、少ない維持管理をもたらす。
【００２６】
当業者であれば、異なる実施形態からの様々な特徴の互換性を認識し、本開示の原理にしたがってさらなるシステムおよび技術を構築するために、記載した様々な特徴、ならびに各特徴についての他の既知の等価物を、当業者ならうまく組み合わせることができることを理解するはずである。それゆえ、別記の特許請求の範囲が、本発明の真の精神内になるすべてのかかる変形形態および変更形態を包含するように意図していることを、理解するはずである。
【００２７】
本発明のある種の特徴だけを本明細書中で図示し説明してきているが、多くの変形形態および変更形態を当業者なら思い付くであろう。それゆえ、別記の特許請求の範囲が、本発明の真の精神内になるすべてのかかる変形形態および変更形態を包含するように意図していることを理解するはずである。
【符号の説明】
【００２８】
１０  電力変換システム
１２  電力変換装置
１４  スイッチ
１６  ブラストシールド
１８  パワースイッチ
２０  ヒートシンク
２２  第１のステージ
２４  第２のステージ
２６  電源
２８  送電網
３０  制御装置
３２  ＤＣ−ＤＣ変換装置
３４  ＤＣ−ＡＣ変換装置
３６  レグ
３８  レグ
４０  レグ
４２  スイッチ
４４  ブラストシールド封入スイッチのセット
４６  ブラストシールド封入スイッチのセット
４８  スイッチ
５０  ブラストシールド封入スイッチのセット
５２  ブラストシールド封入スイッチのセット
【図１】
2013143910.tif 000003
【図２】
2013143910.tif 000004
【図３】
2013143910.tif 000005
【図４】
2013143910.tif 000006
【外国語明細書】
2013143910000001.pdf